(57)【要約】【課題】  放熱を効率よく行うことができ、かつ放熱のために設けられる開口部から水等の液体が浸入するのを低減することができる照明装置を提供する。【解決手段】  被写体を照明する照明光を射出する第１光源部を収容する第１筐体６と、被写体を照明する照明光を射出する第２光源部を収容すると共に、前記第１筐体６に対して変位可能な第２筐体８と、前記第１筐体６の前記第２筐体８と対向する対向部位に設けられ、前記第１筐体６内の前記第１光源部近傍の熱を放熱するための第１開口部と、前記第１筐体６の前記対向部位とは異なる部位に設けられ、前記熱を放熱するための第２開口部２２ａとを備える。【選択図】  図１
2010251184.tif 000002
【特許請求の範囲】
【請求項１】
被写体を照明する照明光を射出する第１光源部を収容する第１筐体と、
被写体を照明する照明光を射出する第２光源部を収容すると共に、前記第１筐体に対して変位可能な第２筐体と、
前記第１筐体の前記第２筐体と対向する対向部位に設けられ、前記第１筐体内の前記第１光源部近傍の熱を放熱するための第１開口部と、
前記第１筐体の前記対向部位とは異なる部位に設けられ、前記熱を放熱するための第２開口部と、
を備えることを特徴とする照明装置。
【請求項２】
前記第１開口部および前記第２開口部はそれぞれ、前記第１筐体の外部から該第１筐体内へ外気を吸気するための吸気口、または該第１筐体内部の空気を該第１筐体外部へ排気するための排気口として使用可能であり、
前記第１、第２開口部のうちの一方が、前記吸気口として使用されるときには、他方が前記排気口として使用されることを特徴とする請求項１に記載の照明装置。
【請求項３】
前記第１開口部の開口面積を変化させる開口面積可変部を備えることを特徴とする請求項１又は２に記載の照明装置。
【請求項４】
前記第１開口部は前記第１筐体の上面に設けられ、
前記第２開口部は、前記第１筐体の左側面及び右側面に設けられ、
前記左側面に設けられた第２開口部から前記右側面に設けられた第２開口部へ、前記第１筐体内を貫通する空間を有することを特徴とする請求項１〜請求項３の何れか一項に記載の照明装置。
【請求項５】
前記第２筐体の、前記第１筐体の前記対向部位と対向する面上に設けられ、前記第２筐体内の前記第２光源部近傍の熱を放熱するための第３開口部と、
前記第２筐体の側面に設けられ、前記第２光源部近傍の熱を放熱するための第４開口部と、
を備えることを特徴とする請求項１〜請求項４の何れか一項に記載の照明装置。
【請求項６】
前記第３開口部を開閉させる開閉部を備えることを特徴とする請求項５記載の照明装置。
【発明の詳細な説明】
【技術分野】
【０００１】
本発明は、被写体を照明するための照明装置に関するものである。
【背景技術】
【０００２】
ビデオカメラ等の撮像装置に対して着脱可能であって、光源として用いられるＬＥＤを実装するためのプリント回路基板、及びプリント回路基板に設けられた放熱器等を収容する筐体の前面、上面及び側面に、ＬＥＤからの熱を放熱器を介して筐体外へ放熱するための換気用の穴（開口部）が設けられている照明装置が提案されている（例えば、特許文献１参照）。
【先行技術文献】
【特許文献】
【０００３】
【特許文献１】特開２００６−３３１８５８号公報
【発明の概要】
【発明が解決しようとする課題】
【０００４】
通常、照明装置は撮像装置の上部に装着されるため、横位置撮影の際には照明装置の上部に設けられた換気用の開口部から、縦位置撮影の際には照明装置の側部に設けられた換気用の開口部から、雨等の液体が浸入するおそれがあった。また、浸入した雨等の液体を筐体内に溜めずに排出させる手段を備えていない等、適切な防滴手段がなされていない場合があった。
【０００５】
本発明の目的は、放熱を効率よく行うことができ、かつ放熱のために設けられる開口部から水等の液体が浸入するのを低減することができる照明装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の照明装置は、被写体を照明する照明光を射出する第１光源部を収容する第１筐体（６）と、被写体を照明する照明光を射出する第２光源部を収容すると共に、前記第１筐体（６）に対して変位可能な第２筐体（８）と、前記第１筐体（６）の前記第２筐体（８）と対向する対向部位に設けられ、前記第１筐体（６）内の前記第１光源部近傍の熱を放熱するための第１開口部（２０）と、前記第１筐体（６）の前記対向部位とは異なる部位に設けられ、前記熱を放熱するための第２開口部（２２ａ，２２ｂ）とを備えることを特徴とする。
【発明の効果】
【０００８】
本発明の照明装置によれば、放熱を効率よく行うことができ、かつ放熱のために設けられる開口部から水等の液体が浸入するのを低減することができる。
【図面の簡単な説明】
【０００９】
【図１】第１の実施の形態に係る照明装置の外観を示す斜視図である。
【図２】第１の実施の形態に係る照明装置の下部筐体の前側の構成を示す図である。
【図３】第１の実施の形態に係る照明装置の下部筐体内に収容されている部品の構成を示す図である。
【図４】第１の実施の形態に係る照明装置において縦位置撮影を行う際の照明装置の姿勢及びブラインドの状態を示す図である。
【図５】第２の実施の形態に係る照明装置の上部筐体内の収容されている部品の構成を示す図である。
【図６】第２の実施の形態に係る照明装置の下部筐体の前側の構成を示す図である。
【発明を実施するための形態】
【００１０】
以下、図面を参照して、本発明の第１の実施の形態に係る照明装置について説明する。図１は、第１の実施の形態に係る照明装置２の外観を示す斜視図である。照明装置２は、例えばカメラ等の撮像装置の上部に脚部４を用いて取り付けられ、撮像装置により撮影を行う際に、被写体を照明光で照明するために使用される。
【００１１】
図１に示すように、照明装置２は下部筐体６及び上部筐体８を備えており、上部筐体８は下部筐体６に対して上下方向及び左右方向へ変位可能に構成されている。上部筐体８内には照明光を射出する上部光源部（図示せず）が収容されており、上部筐体８の前面部にはフレネルレンズ１０が設けられている。上部筐体８内に設けられている上部光源部は、キセノンランプ等により構成され、閃光を発光し、静止画を撮影する際に用いられる。上部光源部から発光し、フレネルレンズ１０を介して射出した照明光は、被写体を照明する。
【００１２】
図２は下部筐体６の前側の構成を示す図、図３は下部筐体６内に収容されている部品の構成を示す図である。図３に示すように、下部筐体６内には、被写体を照明する照明光を射出する下部光源部としての複数のＬＥＤ（図示せず）及びその他の電子部品（図示せず）を実装した基板１２、ＬＥＤから射出された照明光を後述する透過部材１４（図２参照）に導くレンズ１６、及び複数のフィンを備えた放熱部材１８が収容されている。下部筐体６内に設けられている下部光源部は、動画を撮影する際に用いられる。ＬＥＤから発光し、レンズ１６及び下部筐体６の前面部に設けられている透過部材１４を介して射出した照明光は、被写体を照明する。放熱部材１８は、基板１２の、ＬＥＤ等が実装されている面の裏面に取り付けられており、ＬＥＤから発せられ、基板１２に伝達される熱を放散する機能を有している。
【００１３】
また、図２に示すように、下部筐体６の上部筐体８と対向する対向部位である上面部には、下部筐体６内の後述するＬＥＤ近傍の熱を放熱するための上部開口部２０が設けられている。また、下部筐体６の上面部とは異なる部位である左側面部には、下部筐体６内のＬＥＤ近傍の熱を放熱するための左側部開口部２２ａが設けられており、下部筐体６の上面部とは異なる部位である右側面部には、下部筐体６内のＬＥＤ近傍の熱を放熱するための右側部開口部２２ｂが設けられている。また、下部筐体６内には、図２及び図３において破線で示すように、左側部開口部２２ａから右側部開口部２２ｂへ、下部筐体６内を貫通する空間が設けられており、更に該空間と上部開口部２０とを繋ぐ空間が設けられている。なお、上述の放熱部材１８は、上部開口部２０、左側部開口部２２ａ及び右側部開口部２２ｂを繋ぐ空間内に収容されており、放熱部材１８と空間との間を密封するパッキン２３が設けられている。パッキン２３は、放熱部材１８に取り付けられている基板１２の周辺部に設けられており、上部開口部２０、左側部開口部２２ａまたは右側部開口部２２ｂから水等の液体が浸入した場合においても、放熱部材１８から基板１２へ液体が浸入するのを防止する。
【００１４】
この実施の形態においては、上部開口部２０の開口面積は、上部開口部２０の両側部に設けられているバネ２４ａ〜２４ｄ及びブラインド２６ａ，２６ｂを用いて変化させることができる。ブラインド２６ａは２枚以上の羽根板（本実施形態では３枚）２６ａ１，２６ａ２，２６ａ３を備えている。ブラインド２６ａは、上部開口部２０を形成する羽根板２６ａ１の動きに連動して、他の羽根板２６ａ２，２６ａ３が展開したり収納（重なった）状態になったりするように各羽根板間が連設されている。各羽根板２６ａ１，２６ａ２，２６ａ３は、照明装置２が図１及び図２に示す姿勢の場合、即ち上部のホットシューに照明装置２を装着したカメラ（不図示）で横位置撮影を行う場合には、図２及び図３に示すように、最上部の羽根板２６ａ１に取り付けられたバネ２４ａ，２４ｂの弾性力により上部開口部２０の左側部に寄せられ重ねられた状態で配置される。同様に、ブラインド２６ｂは２枚以上の羽根板（本実施形態では３枚）を備えており、各羽根板は、照明装置２が図１及び図２に示す姿勢の場合には、図２及び図３に示すように、最上部の羽根板２６ｂ１に取り付けられたバネ２４ｃ，２４ｄの弾性力により上部開口部２０の右側部に寄せられ重ねられた状態（収納状態）で配置される。ブラインド２６ｂの各羽根板間の連設に関しては、上述の羽根板２６ａ１〜２６ａ３の場合と同様の構成となっている。
【００１５】
この場合には、上部開口部２０より下方向にある左側部開口部２２ａ及び右側部開口部２２ｂが吸気口として使用され、上部開口部２０が排気口として使用される。また、上部開口部２０の開口面積Ｓ１、左側部開口部２２ａの開口面積Ｓ２、右側部開口部２２ｂの開口面積Ｓ３としたとき、Ｓ１＞Ｓ２＋Ｓ３となるように構成されているため、左側部開口部２２ａ及び右側部開口部２２ｂから空気が流入し、下部筐体６内の空間を流通し、放熱部材１８から放散される熱により暖められた空気が上昇し、上部開口部２０から流出する。即ち、空気が左側部開口部２２ａ及び右側部開口部２２ｂから流入し、上部開口部２０から流出する自然対流が発生するため、ファン等を設けなくとも下部筐体６内を空気が流通し、下部筐体６内の放熱を行うことができる。
【００１６】
一方、照明装置２が図４に示す姿勢の場合、即ち上述したカメラ（不図示）で縦位置撮影を行う場合には、図４に示すように、ブラインド２６ａを構成する最下部の羽根板２６ａ３以外の羽根板２６ａ１，２６ａ２は、最上部の羽根板２６ａ１に取り付けられているバネ２４ａ，２４ｂが羽根板２６ａ１，２６ａ２群の自重に負けて伸張するため、図中矢印方向にスライド移動されて展開配置される。よって、上部開口部２０の開口面積は、図２及び図３に示す場合と比較して小さくなる。なお、ブラインド２６ｂを構成する各羽根板の配置位置は変化しない。また、バネ２４ａ及び２４ｂは、照明装置２が図４に示す姿勢となったとき、羽根板群の自重によってバネ２４ａ，２４ｂが伸張し、羽根板群の自重の影響がなくなれば（図２及び図３に示す状態になれば）収縮するようなバネ定数を有しているものとする。
【００１７】
この場合には、左側部開口部２２ａより下方向にある上部開口部２０及び右側部開口部２２ｂが吸気口として使用され、左側部開口部２２ａが排気口として使用される。また、Ｓ２＞Ｓ１＋Ｓ３となるように構成されているため、上部開口部２０及び右側部開口部２２ｂから空気が流入し、下部筐体６内の放熱部材１８から放散される熱により暖められた空気が上昇し、左側部開口部２２ａから流出する自然対流が発生し、下部筐体６内の放熱を行うことができる。
【００１８】
同様に、照明装置２が右側部開口部２２ｂを上面とする姿勢の場合には、ブラインド２６ｂを構成する各羽根板は、羽根板２６ｂ１に取り付けられているバネ２４ｃ，２４ｄが伸張するため、展開配置される。よって、上部開口部２０の開口面積は、図２及び図３に示す場合と比較して小さくなる。なお、バネ２４ｃ及び２４ｄは、照明装置２が右側部開口部２２ｂを上面とする姿勢となったとき、羽根板群の自重に負けてバネ２４ｃ，２４ｄが伸張し、羽根板群の自重の影響がなくなれば収縮するようなバネ定数を有しているものとする。この場合には、上部開口部２０及び左側部開口部２２ａが吸気口として使用され、右側部開口部２２ｂが排気口として使用される。また、Ｓ３＞Ｓ１＋Ｓ２となるように構成されているため、上部開口部２０及び左側部開口部２２ａから空気が流入し、下部筐体６内の放熱部材１８から放散される熱により暖められた空気が上昇し、右側部開口部２２ｂから流出する自然対流が発生し、下部筐体６内の放熱を行うことができる。
【００１９】
なお、照明装置２を図４に示す姿勢、または右側部開口部２２ｂを上面とする姿勢から、図２に示す姿勢に戻した際には、ブラインド２６ａ（または２６ｂ）を構成する各羽根板は、バネ２４ａ，２４ｂ（または２４ｃ，２４ｄ）の弾性力により、図２または図３に示す状態、即ち上部開口部２０の左側部（または右側部）に重ねられた状態に戻る。
【００２０】
第１の実施の形態に係る照明装置によれば、照明装置２が図１及び図２に示す姿勢の場合、即ち横位置撮影の場合には、左側部開口部２２ａ及び右側部開口部２２ｂから空気が流入し、下部筐体６内の放熱部材１８から放散される熱により暖められた空気が上昇し、上部開口部２０から流出する自然対流が発生するため、ファン等を設けなくとも下部筐体６内を空気が流通し、下部筐体６内の放熱を効率よく行うことができる。また、上部開口部２０が上部筐体８の対向する対向部位に設けられているため、雨の中での撮影においても、上部筐体８が傘の役目を果たし、上部開口部２０から雨が浸入する虞が少ない。
【００２１】
また、照明装置２が図４に示す姿勢の場合、即ち縦位置撮影の場合には、上部開口部２０及び右側部開口部２２ｂから空気が流入し、下部筐体６内の放熱部材１８から放散される熱により暖められた空気が上昇し、左側部開口部２２ａから流出する自然対流が発生するため、下部筐体６内の放熱を効率よく行うことができる。また、左側部開口部２２ａから右側部開口部２２ｂへ、下部筐体６内を貫通する空間が設けられているため、雨の中での撮影においても、左側部開口部２２ａから浸入した雨は空間を真下に下り、右側部開口部２２ｂから排出され、雨が下部筐体６内に蓄積することはない。少量の雨が下部筐体６内に蓄積された場合においてもパッキン２３が設けられているため、基板１２へ雨が浸入するのを確実に防止することができる。
【００２２】
次に、図面を参照して、本発明の第２の実施の形態に係る照明装置について説明する。第２の実施の形態に係る照明装置は、第１の実施の形態に係る照明装置２と同様に、例えばカメラ等の撮像装置の上部に取り付けるための脚部、下部筐体３４（図５参照）及び上部筐体３６（図６参照）を備えている。
【００２３】
図５は、下部筐体３４の前側の構成を示す図である。上部筐体３６に対して上下方向及び左右方向へ変位可能な下部筐体３４内には、第１の実施の形態に係る下部筐体６内に収容されている部品（基板１２，ＬＥＤ，レンズ１６，放熱部材１８等）と同一の部品（図示せず）が収容されている。ＬＥＤから発光し、レンズ及び下部筐体の前面部に設けられている透過部材３８を介して射出した照明光は、動画として撮影される被写体を照明する。また、図６に示すように、下部筐体３４の上面部には上部開口部２０（図２参照）と同様の上部開口部４０、左側面部には左側部開口部２２ａ（図２参照）と同様の左側部開口部４２ａ、右側面部には右側部開口部２２ｂ（図２参照）と同様の右側部開口部４２ｂが設けられている。また、第１の実施の形態と同様に、左側部開口部４２ａから右側部開口部４２ｂへ、下部筐体３４内を貫通する空間、更に該空間と上部開口部４０とを繋ぐ空間が設けられている。なお、各羽根板間の連設構成については、第１の実施の形態と同様のものとする。
【００２４】
上部開口部４０の開口面積は、第１の実施の形態と同様に変更可能である。具体的には、上部開口部４０の左側部に設けられた２枚以上の羽根板により構成されるブラインド４４ａの中の最上部に位置する羽根板４４ａ１に接続されたモータ４６を駆動させることにより、羽根板４４ａ１が図中矢印Ｆ方向に往復移動し、各羽根板は、上部開口部４０の左側部に寄せられ重ねられた状態と展開された状態とに切換配置される。各羽根板が展開配置された場合には、上部開口部４０の開口面積は、小さくなる。同様に、上部開口部４０の右側部に設けられた２枚以上の羽根板により構成されるブラインド４４ｂの中の最上部に位置する羽根板４４ｂ１に接続されたモータ（図示せず）を駆動させることにより、羽根板４４ｂ１が上部開口部４０の左側部に向かって移動し、各羽根板は、上部開口部４０の右側部に寄せられ重ねられた状態からスライドして展開されるため、上部開口部４０の開口面積は、小さくなる。
【００２５】
なお、上部開口部４０、左側部開口部４２ａ及び右側部開口部４２ｂの吸排気口としての機能は、第１の実施の形態に係る上部開口部２０、左側部開口部２２ａ及び右側部開口部２２ｂの吸排気口としての機能と同一のため、説明を省略する。また、上部開口部４０の開口面積の大きさは、照明装置の姿勢に基づいて変化させる。即ち、上部開口部４０が排気口として機能する場合には上部開口部４０の開口面積を大きくし、上部開口部４０が吸気口として機能する場合には上部開口部４０の開口面積を小さくする。この場合には、ユーザー操作により手動でモータ４６を駆動させて上部開口部４０の開口面積を変化させてもよく、または、図示しない制御部が照明装置の姿勢を検出し、検出結果に基づいてモータ４６を駆動させることにより上部開口部４０の開口面積を自動で変化させてもよい。
【００２６】
図６は、上部筐体３６内に収容されている部品の構成を示す図である。図６に示すように、上部筐体３６内には、キセノンランプ等により構成される上部光源部（図示せず）が収容されている。上部光源部から発光し、上部筐体３６の前面部のフレネルレンズ５０を介して射出した閃光は、静止画として撮影される被写体を照明する。また、上部筐体３６の下部筐体３４と対向する対向部位である下面部には、上部筐体３６内の上部光源部近傍の熱を放熱するための下部開口部５２が設けられている。下部開口部５２は、下部筐体３４の上面部に設けられている上部開口部４０と対向する対向部位と異なる部位に設けられている。また、上部筐体３６の下面部とは異なる部位である左側面部には、上部光源部近傍の熱を放熱するための左側部開口部５４ａが設けられており、上部筐体３６の下面部とは異なる部位である右側面部には、上部光源部近傍の熱を放熱するための右側部開口部５４ｂが設けられている。図６中破線で示すように、左側部開口部５４ａから右側部開口部５４ｂへ、上部筐体３６内を貫通する空間が設けられており、更に該空間と下部開口部５２とを繋ぐ空間が設けられている。
【００２７】
下部開口部５２は、開閉可能かつその開口面積が変更可能に構成されている。即ち、上部筐体３６の下面部には、下部開口部５２を開閉し、かつ開口面積を変更する２枚以上の羽根板により構成されるブラインド（図示せず）が設けられている。下部開口部５２のブラインドは、上部開口部４０の両側部に設けられているブラインド４４ａ，４４ｂと同様の構成を有しており、モータ４６と同様のモータ（図示せず）に最上部の羽根板が接続され、モータを駆動させることにより下部開口部５２を閉じる方向または開く方向に移動する。
【００２８】
この実施の形態では、下部筐体３４の上部開口部４０が排気口として機能している間は、上部開口部４０から排気される暖かい空気が下部開口部５２から流入するのを防止するために、下部開口部５２を閉じる。また、上部開口部４０が排気口として機能しておらず、下部開口部５２が排気口として機能する場合には、下部開口部５２を開き、かつ下部開口部５２の開口面積を大きくする。同様に、上部開口部４０が排気口として機能しておらず、下部開口部５２が吸気口として機能する場合には、下部開口部５２を開き、かつ下部開口部５２の開口面積を小さくする。
【００２９】
第２の実施の形態に係る照明装置によれば、第１の実施の形態に係る照明装置２による効果に加えて、上部筐体３６内に収容されている上部光源部からの熱を効率よく放熱することができる。また、下部開口部５２が開閉可能に構成されているため、上部開口部４０から暖かい空気が排出されている間は、下部開口部５２を閉じることができ、下部開口部５２から暖かい空気が流入するのを防止することができる。また、雨の中での撮影においても、下部開口部５２から雨が浸入することはない。
【００３０】
なお、第２の実施の形態においては、上部開口部４０及び下部開口部５２の両端部に羽根板を備え、羽根板が展開するように構成されているが、いずれか一方の端部に羽根板を備えていればよい。また、下部筐体３４及び上部筐体３６に開口部を備えているが、下部筐体３４に上部開口部４０を備えず、上部筐体３６にのみ下部開口部５２を備えることもできる。
【００３１】
また、上述の各実施の形態においては、上部筐体内にキセノンランプ等により構成される光源部を備えているが、ＬＥＤ等により構成される光源部を備えるようにしてもよい。また、下部筐体内に収容され、ＬＥＤ等により構成される光源部を動画として撮影される被写体を照明するために用いているが、該光源部を静止画として撮影される被写体を照明するために用いてもよい。この場合には、該光源部に大電流を瞬間的に与え、閃光を発光させる。
【符号の説明】
【００３２】
２…照明装置、４…脚部、６…下部筐体、８…上部筐体、１０…フレネルレンズ、１２…基板、１４…透過部材、１６…レンズ、１８…放熱部材、２０…上部開口部、２２ａ…左側部開口部、２２ｂ…右側部開口部、２４ａ〜２４ｄ…バネ、２６ａ，２６ｂ…ブラインド。
【図１】
2010251184.tif 000003
【図２】
2010251184.tif 000004
【図３】
2010251184.tif 000005
【図４】
2010251184.tif 000006
【図５】
2010251184.tif 000007
【図６】
2010251184.tif 000008